(57)【特許請求の範囲】
【請求項１】
被検眼の眼底に照明光を照射する照明手段と、
前記眼底による前記照明光の反射光を受光し、前記眼底のカラー画像の画像データと、Ｒ成分、Ｇ成分及びＢ成分の３つの原色成分のそれぞれの画像データとを生成する生成手段と、
前記３つの原色成分の画像データのうちの少なくとも１つを解析する解析手段と、
表示手段と
前記カラー画像又は前記原色成分の画像データに基づく原色画像と、前記解析手段により得られた解析結果と、前記解析された画像データに対応する原色成分の種別を表す種別情報とを前記表示手段に表示させる制御手段と、
を備えることを特徴とする眼底撮影装置。
【請求項２】
前記種別情報は、前記３つの原色成分のそれぞれに対して予め指定された前記解析結果の表示色である、
ことを特徴とする請求項１に記載の眼底撮影装置。
【請求項３】
前記解析手段は、前記原色成分の画像データの画素値に基づいて、当該原色画像に描写された病変部位を特定し、
前記制御手段は、前記解析結果として、前記特定された病変部位に相当する領域を表す病変部位画像を、前記カラー画像又は前記原色画像に重ねて表示させる、
ことを特徴とする請求項１又は請求項２に記載の眼底撮影装置。
【請求項４】
前記解析手段は、前記３つの原色成分の画像データのうちの２つ以上を解析し、
前記制御手段は、複数の原色成分の画像データに基づく複数の病変部位画像の位置が重なる場合に、サイズが小さい病変部位画像をサイズが大きい病変部位画像に重ねて表示させる、
ことを特徴とする請求項３に記載の眼底撮影装置。
【請求項５】
前記照明手段は、光量の異なる照明光を前記眼底に順次に照射し、
前記生成手段は、多量の光量の照明光の前記眼底による反射光を受光して前記Ｂ成分の画像データを生成し、少量の光量の照明光の前記眼底による反射光を受光して前記Ｒ成分の画像データを生成する、
ことを特徴とする請求項１〜請求項４のいずれか一項に記載の眼底撮影装置。
【請求項６】
前記照明手段は、互いに異なる３つの光量の照明光を前記眼底に順次に照射し、
前記生成手段は、多量の光量の照明光の前記眼底による反射光を受光して前記Ｂ成分の画像データを生成し、中間の光量の照明光の前記眼底による反射光を受光して前記Ｇ成分の画像データを生成し、少量の光量の照明光の前記眼底による反射光を受光して前記Ｒ成分の画像データを生成する、
ことを特徴とする請求項１〜請求項４のいずれか一項に記載の眼底撮影装置。
【請求項７】
前記照明手段は、眼底による前記３つの原色成分のそれぞれの反射率に対応するＲ成分、Ｇ成分及びＢ成分の色バランスを有する照明光を前記被検眼の眼底に照射する、
ことを特徴とする請求項１〜請求項４のいずれか一項に記載の眼底撮影装置。
【請求項８】
前記照明手段は、眼底による前記３つの原色成分の反射光量が略等しくなるような前記色バランスを有するように前記照明光を照射する、
ことを特徴とする請求項７に記載の眼底撮影装置。
【請求項９】
前記照明手段は、光源と、Ｒ成分の透過率がＧ成分の透過率以下でありかつＧ成分の透過率がＢ成分の透過率以下であるフィルタとを含み、前記光源から出力されて前記フィルタを透過した光を前記照明光として前記眼底に照射する、
ことを特徴とする請求項８に記載の眼底撮影装置。
【請求項１０】
被検眼の眼底のカラー画像の画像データと、Ｒ成分、Ｇ成分及びＢ成分の３つの原色成分のそれぞれの画像データとを受け付ける受付手段と、
前記３つの原色成分の画像データのうちの少なくとも１つを解析する解析手段と、
表示手段と
前記カラー画像又は前記原色成分の画像データに基づく原色画像と、前記解析手段により得られた解析結果と、前記解析された画像データに対応する原色成分の種別を表す種別情報とを前記表示手段に表示させる制御手段と、
を備えることを特徴とする眼底画像処理装置。
【発明の詳細な説明】
【技術分野】
【０００１】
この発明は、被検眼の眼底を撮影してカラー画像を取得する眼底撮影装置、及び眼底のカラー画像を処理する眼底画像処理装置に関する。
【背景技術】
【０００２】
眼科分野においては、眼底をカラー撮影するための各種の眼底撮影装置が従来から用いられている。このような装置としては、眼底カメラやスリットランプや手術用顕微鏡などが知られている（たとえば特許文献１〜６を参照）。
【０００３】
眼底のカラー撮影には、ハロゲンランプやキセノンランプ等の光源が用いられる。光源は、Ｒ（赤）成分、Ｇ（緑）成分、Ｂ（青）成分の各原色成分を含む光を発する。これら原色成分は、光源に応じた強度のバランス（色バランス）を有する。光源と被検眼との間にフィルタを設けて色バランスを調整する場合もある。なお、これら原色成分の波長帯は、一部重複しているのが一般的である。また、これら原色成分の眼底での反射率は互いに異なっている。
【０００４】
上記のような条件により、眼底のカラー撮影においては、一般に、Ｇ画像の濃度（明るさ）が適正になるように照明光の光量（強度）が設定される。また、一般に、任意の光量の照明光を用いる場合において、Ｒ画像はＧ画像より明るく、Ｇ画像はＢ画像より明るくなる。
【０００５】
特許文献１に開示された眼底撮影装置は、眼底の色を正確に表現するために、３つの原色成分の色バランスを調整する機能を備えている。また、特許文献２〜６に開示された眼底撮影装置は、医師等が視認しやすい画像を取得するために、被検眼を撮影するための照明光の光量を調整する機能を備えている。
【０００６】
また、近年では、眼底撮影装置により取得された画像を解析する技術が進展を見せている。たとえば、特許文献７には、カラー画像を構成する原色画像を解析して視神経乳頭部等を検出する技術が開示されている。
【０００７】
照明光のＲ成分、Ｇ成分及びＢ成分は、波長に応じて撮影部位への到達深度が異なる。たとえば眼底を撮影する場合、照明光のＲ成分は脈絡膜付近まで到達して反射されるので、Ｒ画像は網膜から脈絡膜付近に亘る領域を描写した画像となる。また、照明光のＧ成分は網膜の色素上皮層付近まで到達して反射されるので、Ｇ画像は網膜の色素上皮層付近までを描写した画像となる。また、照明光のＢ成分は網膜の表面付近で反射されるので、Ｂ画像は網膜の浅い領域を描写した画像となる。
【０００８】
【特許文献１】特開平８−３８４３０号公報
【特許文献２】特開平７−１６２０６号公報
【特許文献３】特開平７−２３１８７６号公報
【特許文献４】特開平８−５２１１４号公報
【特許文献５】特開２００２−２２４０３６号公報
【特許文献６】特開平７−５３６９号公報
【特許文献７】特開２００５−２５３７９６号公報
【発明の開示】
【発明が解決しようとする課題】
【０００９】
従来、眼底の画像解析においては、適正な濃度のＧ画像を解析対象とすることが多かった。特に、病変の観察では、一般にＧ画像が用いられ、Ｇ画像を解析して特定された病変部位をカラー画像に重ねて表示させるなどしていた。
【００１０】
このような従来の画像解析では、Ｇ画像に対応する深度にある病変部位を検出することはできるが、この深度にない病変部位を検出できない。すなわち、従来の画像解析では、眼底の特定の深度の状態しか把握できなかった。また、眼底のどの深度の状態が呈示されているか把握できないというデメリットもあった。
【００１１】
この発明は、以上のような問題を解決するためになされたものであり、その目的は、眼底のどの深度の状態が呈示されているかを容易に把握することが可能な眼底撮影装置及び眼底画像処理装置を提供することにある。
【００１２】
また、この発明の他の目的は、眼底の様々な深度の状態をまとめて観察することが可能な眼底撮影装置及び眼底画像処理装置を提供することにある。
【課題を解決するための手段】
【００１３】
上記目的を達成するために、請求項１に記載の発明は、被検眼の眼底に照明光を照射する照明手段と、前記眼底による前記照明光の反射光を受光し、前記眼底のカラー画像の画像データと、Ｒ成分、Ｇ成分及びＢ成分の３つの原色成分のそれぞれの画像データとを生成する生成手段と、前記３つの原色成分の画像データのうちの少なくとも１つを解析する解析手段と、表示手段と前記カラー画像又は前記原色成分の画像データに基づく原色画像と、前記解析手段により得られた解析結果と、前記解析された画像データに対応する原色成分の種別を表す種別情報とを前記表示手段に表示させる制御手段と、を備えることを特徴とする眼底撮影装置である。
【００１４】
また、請求項２に記載の発明は、請求項１に記載の眼底撮影装置であって、前記種別情報は、前記３つの原色成分のそれぞれに対して予め指定された前記解析結果の表示色である、ことを特徴とする。
【００１５】
また、請求項３に記載の発明は、請求項１又は請求項２に記載の眼底撮影装置であって、前記解析手段は、前記原色成分の画像データの画素値に基づいて、当該原色画像に描写された病変部位を特定し、前記制御手段は、前記解析結果として、前記特定された病変部位に相当する領域を表す病変部位画像を、前記カラー画像又は前記原色画像に重ねて表示させる、ことを特徴とする。
【００１６】
また、請求項４に記載の発明は、請求項３に記載の眼底撮影装置であって、前記解析手段は、前記３つの原色成分の画像データのうちの２つ以上を解析し、前記制御手段は、複数の原色成分の画像データに基づく複数の病変部位画像の位置が重なる場合に、サイズが小さい病変部位画像をサイズが大きい病変部位画像に重ねて表示させる、ことを特徴とする。
【００１７】
また、請求項５に記載の発明は、請求項１〜請求項４のいずれか一項に記載の眼底撮影装置であって、前記照明手段は、光量の異なる照明光を前記眼底に順次に照射し、前記生成手段は、多量の光量の照明光の前記眼底による反射光を受光して前記Ｂ成分の画像データを生成し、少量の光量の照明光の前記眼底による反射光を受光して前記Ｒ成分の画像データを生成する、ことを特徴とする。
【００１８】
また、請求項６に記載の発明は、請求項１〜請求項４のいずれか一項に記載の眼底撮影装置であって、前記照明手段は、互いに異なる３つの光量の照明光を前記眼底に順次に照射し、前記生成手段は、多量の光量の照明光の前記眼底による反射光を受光して前記Ｂ成分の画像データを生成し、中間の光量の照明光の前記眼底による反射光を受光して前記Ｇ成分の画像データを生成し、少量の光量の照明光の前記眼底による反射光を受光して前記Ｒ成分の画像データを生成する、ことを特徴とする。
【００１９】
また、請求項７に記載の発明は、請求項１〜請求項４のいずれか一項に記載の眼底撮影装置であって、前記照明手段は、眼底による前記３つの原色成分のそれぞれの反射率に対応するＲ成分、Ｇ成分及びＢ成分の色バランスを有する照明光を前記被検眼の眼底に照射する、ことを特徴とする。
【００２０】
また、請求項８に記載の発明は、請求項７に記載の眼底撮影装置であって、前記照明手段は、眼底による前記３つの原色成分の反射光量が略等しくなるような前記色バランスを有するように前記照明光を照射する、ことを特徴とする。
【００２１】
また、請求項９に記載の発明は、請求項８に記載の眼底撮影装置であって、前記照明手段は、光源と、Ｒ成分の透過率がＧ成分の透過率以下でありかつＧ成分の透過率がＢ成分の透過率以下であるフィルタとを含み、前記光源から出力されて前記フィルタを透過した光を前記照明光として前記眼底に照射する、ことを特徴とする。
【００２２】
また、請求項１０に記載の発明は、被検眼の眼底のカラー画像の画像データと、Ｒ成分、Ｇ成分及びＢ成分の３つの原色成分のそれぞれの画像データとを受け付ける受付手段と、前記３つの原色成分の画像データのうちの少なくとも１つを解析する解析手段と、表示手段と前記カラー画像又は前記原色成分の画像データに基づく原色画像と、前記解析手段により得られた解析結果と、前記解析された画像データに対応する原色成分の種別を表す種別情報とを前記表示手段に表示させる制御手段と、を備えることを特徴とする眼底画像処理装置である。
【発明の効果】
【００２３】
この発明によれば、カラー画像又は原色画像、及び解析結果とともに、解析された画像データに対応する原色成分の種別を表す種別情報を表示することができる。前述のように、３つの原色成分の画像データは、眼底の異なる深度を描写したものである。したがって、この発明によれば、眼底のどの深度の解析結果が呈示されているか、つまり眼底のどの深度の状態が呈示されているかを容易に把握することが可能である。
【００２４】
また、この発明によれば、３つの原色成分のうちの２つ以上の解析結果をカラー画像とともに表示させることにより、眼底の様々な深度の状態をまとめて観察することが可能である。
【発明を実施するための最良の形態】
【００２５】
この発明に係る眼底撮影装置及び眼底画像処理装置の実施形態の一例を説明する。
【００２６】
［眼底撮影装置］
この実施形態に係る眼底撮影装置として、眼底カメラについて説明する。なお、スリットランプや手術用顕微鏡等の他の眼底撮影装置についても、この実施形態と同様の構成を適用することが可能である。
【００２７】
［構成］
この実施形態に係る眼底撮影装置の構成を説明する。図１〜図３は、この実施形態に係る眼底撮影装置の構成の一例を表している。眼底撮影装置１は、図２に示すような外観を有する。なお、眼底撮影装置１は、図２に示す眼底カメラ本体のみを含んで構成されていてもよいし、眼底カメラ本体と通信可能に接続されたコンピュータを更に含んで構成されていてもよい。
【００２８】
図２に示すように、眼底撮影装置１のベース２上には架台３が設けられている。架台３は、ベース２上を３次元的に移動可能とされている。架台３には、コントロールパネル３ａとジョイスティック４が設置されている。検者は、コントロールパネル３ａやジョイスティック４を操作して、眼底撮影装置１に各種動作を実行させたり、情報入力を行ったりする。
【００２９】
特に、オペレータは、ジョイスティック４を操作することにより、架台３をベース２上において３次元的に移動させることができる。また、ジョイスティック４の頂部には、眼底を撮影するときに押下される操作ボタン４ａが配設されている。
【００３０】
ベース２上には支柱５が立設されている。支柱５には顎受け６ａと額当て６ｂと外部固視灯７が設けられている。顎受け６ａには被検者の顎部が載置される。額当て６ｂには被検者の額が当接される。外部固視灯７は、被検眼Ｅを固視させるための光を発する。
【００３１】
架台３上には本体部８が搭載されている。本体部８には、眼底撮影装置１の各種の光学系や制御系を格納されている。なお、制御系は、ベース２や架台３の内部等に設けられていてもよいし、眼底カメラ本体に接続されたコンピュータ（前述）に設けられていてもよい。また、制御系は、眼底撮影装置１とコンピュータの双方に分散配置されていてもよい。
【００３２】
本体部８の被検眼Ｅ側（図２の紙面左方向）には対物レンズ部８ａが設けられている。対物レンズ部８ａは、検査時に被検眼Ｅに対峙する位置に配置される。また、本体部８の検者側（図２の紙面右方向）には、被検眼Ｅの眼底を検者が肉眼で観察するための接眼レンズ部８ｂが設けられている。
【００３３】
更に、本体部８には、被検眼Ｅの眼底画像を撮影するための２つの撮像装置９、１０が設けられている。各撮像装置９、１０は、本体部８に対して着脱可能に取り付けられる。
【００３４】
撮像装置９、１０は、それぞれ撮像素子９ａ、１０ａを搭載したデジタルカメラである。各撮像素子９ａ、１０ａは、ＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどを含んで構成される。
【００３５】
撮像素子９ａ、１０ａは、たとえば異なる波長領域の光を受光する。この実施形態では、撮像素子９ａは可視領域の光を受光し、撮像素子１０ａは可視領域及び赤外領域の光を受光するものとする。
【００３６】
また、撮像素子９ａはカラー撮影に用いられるものとし、撮像素子１０ａはモノクロ撮影に用いられるものとする。撮像装置９には、撮像素子９ａの撮影感度（ＩＳＯ感度）や撮影画素数などの撮影条件を変更する制御回路が設けられている。撮像素子９ａは、たとえば３ＣＣＤタイプのカラー撮像素子である。一方、撮像装置１０には、撮像素子１０ａの撮影感度（ゲイン（Ｇａｉｎ））や撮影画素数などの撮影条件を変更する制御回路が設けられている。
【００３７】
なお、この実施形態においては２台の撮像装置を設けた構成を採用しているが、この発明に係る眼底撮影装置は、カラー撮影が可能な撮像装置を少なくとも１台有するものであれば十分である。なお、この眼底撮影装置（眼底カメラ）は、散瞳タイプ又は無散瞳タイプのいずれであってもよい。
【００３８】
〔光学系の構成〕
次に、眼底撮影装置１の光学系の構成について図３を参照しながら説明する。眼底撮影装置１の光学系は、照明光学系１００と撮影光学系１２０とを含んで構成される。
【００３９】
照明光学系１００は、眼底Ｅｆに照明光を照射するための光学系である。照明光学系１００は、この発明の「照明手段」の一例である。
【００４０】
撮影光学系１２０は、照明光の眼底反射光を接眼レンズ部８ｂや撮像装置９、１０に導く光学系である。撮影光学系１２０（特に撮像装置９）は、図１に示す原色画像生成部２１等とともに、この発明の「生成手段」の一例を構成している。
【００４１】
（照明光学系）
照明光学系１００は、観察光源１０１、コンデンサレンズ１０２、撮影光源１０３、コンデンサレンズ１０４、フィルタ部１０５、リング透光板１０７、ミラー１０８、ＬＣＤ１０９、照明絞り１１０、リレーレンズ１１１、孔開きミラー１１２、対物レンズ１１３を含んで構成されている。
【００４２】
観察光源１０１は、眼底Ｅｆ′を肉眼や撮影画像にて観察するための定常光（連続光）を出力する光源である。観察光源１０１は、たとえばハロゲンランプによって構成される。コンデンサレンズ１０２は、観察光源１０１から発せられた定常光（観察照明光）を集光して平行光束にする。それにより、観察照明光は眼底Ｅｆをほぼ均等に照明するようになる。
【００４３】
撮影光源１０３は、眼底Ｅｆの撮影を行うときにフラッシュ発光される光源である。撮影光源１０３は、たとえばキセノンランプによって構成される。コンデンサレンズ１０４は、撮影光源１０３から発せられたフラッシュ光（撮影照明光）を集光して平行光束にする。それにより、撮影照明光を眼底Ｅｆをほぼ均等に照射するようになる。
【００４４】
フィルタ部１０５には、光学フィルタが設けられている。この光学フィルタとしては、ＦＡ（フルオレセイン蛍光造影撮影；可視蛍光撮影）用のエキサイタフィルタ、ＩＣＧ（インドシアニングリーン蛍光造影撮影；赤外蛍光撮影）用のエキサイタフィルタ、自発蛍光撮影用のエキサイタフィルタ、レッドフリー撮影用のフィルタなどがある。
【００４５】
フィルタ部１０５には、複数の光学フィルタが設けられてもよい。この場合、たとえば図示しない駆動機構によってフィルタ部１０５を駆動して、これら光学フィルタを選択的に光路上に配置させる。
【００４６】
リング透光板１０７は、円環形状の透光領域からなるリング透光部１０７ａを有する板状の光学部材である。リング透光板１０７は、被検眼Ｅの瞳孔と共役な位置に配設されている。また、リング透光板１０７は、リング透光部１０７ａの中心が照明光学系１００の光軸に位置するように配設されている。ミラー１０８は、観察光源１０１や撮影光源１０３が発した照明光を撮影光学系１２０の光軸方向に反射させる。ＬＣＤ１０９は、被検眼Ｅの固視を行うための固視標（内部固視標：図示せず）などを表示する。
【００４７】
照明絞り１１０は、照明光の一部を遮蔽する絞り部材である。照明絞り１１０は、照明光学系１００の光軸方向に移動可能に構成され、眼底Ｅｆの照明領域を調整できるようになっている。照明絞り１１０により、撮影画像にフレアが発生することを防止するなどの効果が得られる。
【００４８】
孔開きミラー１１２は、照明光学系１００の光軸と撮影光学系１２０の光軸とを合成する光学素子である。孔開きミラー１１２の中心領域には孔部１１２ａが開口されている。照明光学系１００の光軸と撮影光学系１２０の光軸は、孔部１１２ａの略中心位置にて交差するようになっている。対物レンズ１１３は、本体部８の対物レンズ部８ａ内に設けられている。
【００４９】
（撮影光学系）
撮影光学系１２０について説明する。撮影光学系１２０は、対物レンズ１１３、孔開きミラー１１２（の孔部１１２ａ）、撮影絞り１２１、フィルタ部１２２、フォーカスレンズ１２４、変倍レンズ１２５、結像レンズ１２６、クイックリターンミラー１２７及び撮像装置９を含んで構成される。
【００５０】
照明光の眼底反射光は、前述のように、被検眼Ｅの瞳孔に形成されるリング状の像の中心暗部を通じて被検眼Ｅから出射する。被検眼Ｅから出射した眼底反射光は、孔開きミラー１１２の孔部１１２ａを通じて撮影絞り１２１に入射する。孔開きミラー１１２は、照明光の角膜反射光を反射する。それにより、角膜反射光に起因するフレアの発生を防止するようになっている。
【００５１】
撮影絞り１２１は、大きさの異なる複数の円形の透光部が形成された板状の部材である。複数の透光部は、絞り値（Ｆ値）の異なる絞りを構成する。これら透光部は、図示しない駆動機構によって択一的に光路上に配置されるようになっている。
【００５２】
フィルタ部１２２には、光学フィルタが設けられている。この光学フィルタとしては、ＦＡ（フルオレセイン蛍光造影撮影；可視蛍光撮影）用のバリアフィルタ、ＩＣＧ（インドシアニングリーン蛍光造影撮影；赤外蛍光撮影）用のバリアフィルタ、自発蛍光撮影用のバリアフィルタなどがある。
【００５３】
フィルタ部１２２には、複数の光学フィルタが設けられていてもよい。この場合、たとえば図示しない駆動機構によってフィルタ部１２２を駆動して、これら光学フィルタを選択的に光路上に配置させる。なお、フィルタ部１０５、１２２は、対応するフィルタが光路上に配置されるように連係して制御される。
【００５４】
フォーカスレンズ１２４は、図示しないフォーカスレンズ駆動部によって撮影光学系１２０の光軸方向に移動可能とされている。それにより、眼底観察時や眼底撮影時においてフォーカスを合わせることができる。変倍レンズ１２５は、図示しない駆動機構により光路上に挿脱されて画角（倍率）を変更するように作用する。結像レンズ１２６は、被検眼Ｅからの眼底反射光を撮像装置９の撮像素子９ａ上に結像させるように作用する。
【００５５】
撮像装置９は、前述のように眼底のカラー撮影時に使用される。撮像装置９は、撮影光学系１２０により案内された撮影照明光の眼底反射光を受光し、Ｒ成分、Ｇ成分及びＢ成分の各原色成分の画像データを生成する。撮像装置９は、たとえば、３ＣＣＤタイプのイメージセンサを含んでいる。すなわち、３つのＣＣＤ素子は、それぞれ、撮影照明光の眼底反射光のＲ成分、Ｇ成分、Ｂ成分を受光して、Ｒ成分の画像データ、Ｇ成分の画像データ、Ｂ成分の画像データをそれぞれ生成する。撮像装置９は、これら３つの原色成分の画像データを合成してカラー画像の画像データを生成する。
【００５６】
クイックリターンミラー１２７は、図示しない駆動機構によって回動軸１２７ａ周りに回動可能に設けられている。撮像装置９で眼底を撮影する場合、光路上に斜設されているクイックリターンミラー１２７を上方に跳ね上げて、眼底反射光を撮像装置９に導くようになっている。一方、撮像装置１０による眼底撮影時や、肉眼による眼底観察時には、クイックリターンミラー１２７を光路上に斜設配置させた状態で、眼底反射光を上方に向けて反射するようになっている。
【００５７】
クイックリターンミラー１２７により反射された眼底反射光の光路上には、フィールドレンズ（視野レンズ）１２８、切換ミラー１２９、接眼レンズ１３０、リレーレンズ１３１、反射ミラー１３２、撮影レンズ１３３及び撮像装置１０が設けられている。
【００５８】
切換ミラー１２９は、クイックリターンミラー１２７と同様に、回動軸１２９ａ周りに回動可能とされている。切換ミラー１２９は、肉眼による眼底観察時には光路上に斜設された状態で眼底反射光を接眼レンズ１３０に向けて反射する。
【００５９】
また、撮像装置１０を用いて眼底画像を撮影するときには、切換ミラー１２９を光路上から退避して、眼底反射光を撮像素子１０ａに向けて導く。この眼底反射光は、リレーレンズ１３１を経由して反射ミラー１３２により反射され、撮影レンズ１３３によって撮像素子１０ａに結像される。
【００６０】
〔制御系の構成〕
眼底撮影装置１の制御系の構成について、図１を参照しながら説明する。眼底撮影装置１の制御系には、制御部１１、記憶部１４、ユーザインターフェイス１５及びデータ処理部２０などが設けられている。
【００６１】
（制御部）
制御部１１は、眼底撮影装置１の各部を制御する。具体的には、制御部１１は、観察光源１０１や撮影光源１０３の点灯／消灯の制御、上記した各種駆動機構の動作制御などを行う。また、制御部１１は、各撮像装置９、１０の露光時間（電荷蓄積時間）や撮影感度や撮影画素数の設定動作の制御を行う。また、制御部１１は、情報を記憶部１４に記憶させたり、記憶部１４に記憶されている情報を読み出したりする。また、制御部１１は、必要に応じて各種の演算処理を行う。
【００６２】
（光量制御部）
制御部１１の光量制御部１２は、撮影光源１０３が発する撮影照明光の光量（撮影光量）を制御する。撮影光量の制御は、たとえば、撮影光源１０３に電流を供給するコンデンサへの電荷蓄積量を調整することにより行うことができる。
【００６３】
（表示制御部）
制御部１１の表示制御部１３は、表示部１６による各種情報の表示態様を制御する。制御部１１（特に表示制御部１３）は、この発明の「制御手段」の一例である。また、制御部１１は、ユーザインターフェイス１５に関する制御として、操作部１７への操作に応じた眼底撮影装置１の動作制御を行う。
【００６４】
制御部１１は、ＣＰＵ（Ｃｅｎｔｒａｌ  Ｐｒｏｃｅｓｓｉｎｇ  Ｕｎｉｔ）等のマイクロプロセッサを含んで構成されている。更に制御部１１には、このマイクロプロセッサに上述の動作を実行させるコンピュータプログラムを記憶したＲＯＭ（Ｒｅａｄ  Ｏｎｌｙ  Ｍｅｍｏｒｙ）やハードディスクドライブ等の記憶装置が設けられている。
【００６５】
（記憶部）
記憶部１４は、眼底撮影装置１による動作や処理に供される各種の情報を記憶する。たとえば記憶部１４には、眼底Ｅｆを撮影して得られた画像データが記憶される。また、記憶部１４には、Ｒ、Ｇ、Ｂの各原色成分に対して表示色を関連付けたテーブル情報が予め記憶されていてもよい。記憶部１４は、たとえばハードディスクドライブ等の記憶装置を含んで構成される。
【００６６】
（ユーザインターフェイス）
ユーザインターフェイス１５には、表示部１６と操作部１７が設けられている。
【００６７】
（表示部）
表示部１６は、表示制御部１３により制御されて各種の画面や情報を表示する。表示部１６は、たとえばＬＣＤ（Ｌｉｑｕｉｄ  Ｃｒｙｓｔａｌ  Ｄｉｓｐｌａｙ）等の任意の表示デバイスによって構成される。表示部１６は、たとえば、本体部８やコントロールパネル３ａなどに設けられる。また、表示部１６は、眼底カメラ本体に接続されたコンピュータの表示デバイスであってもよい。表示部１６は、この発明の「表示手段」の一例として機能する。
【００６８】
（操作部）
操作部１７は、眼底撮影装置１を操作するためにオペレータにより使用される。操作部１７は、各種のボタンやキー等の操作デバイスを含んで構成される。操作部１７には、コントロールパネル３ａやジョイスティック４や操作ボタン４ａなどが含まれる。また、操作部１７は、フィルタ部１０５、１２２に設けられたフィルタを光路上に挿脱するための操作ノブ等を含んでいてもよい。
【００６９】
（データ処理部）
データ処理部２０は、撮像装置９、１０（特に撮像装置９）により生成された画像データに対して各種の処理を施す。データ処理部２０は、たとえばＣＰＵ等のマイクロプロセッサを含んで構成される。データ処理部２０には、原色画像生成部２１と画像解析部２２が設けられている。
【００７０】
（原色画像生成部）
原色画像生成部２１は、撮像装置９により生成された眼底Ｅｆのカラー画像の画像データに基づいて、Ｒ成分、Ｇ成分及びＢ成分の各原色成分の画像データを生成する。なお、各原色成分の画像データに基づく画像を原色画像と呼ぶことがある。以下、各原色画像の画像データの生成方法の一例を説明する。
【００７１】
カラー画像の画像データは、一般に、フレーム内における画素位置を表す座標値（ｘ、ｙ）と、３つの原色成分の濃度値（ｒ、ｇ、ｂ）とを対応付ける情報を含んでいる（その他、各種の付帯情報等が含まれることもある）。
【００７２】
原色画像生成部２１は、当該情報を原色成分毎にまとめることにより、各原色画像の画像データを生成する。それにより、Ｒ成分の画像データｒ（ｘ、ｙ）と、Ｇ成分の画像データｇ（ｘ、ｙ）と、Ｂ成分の画像データｂ（ｘ、ｙ）が得られる。Ｒ成分の画像データｒ（ｘ、ｙ）は、上記フレーム内におけるｒ成分の濃度分布を表している。Ｇ成分及びＢ成分についても同様である。
【００７３】
なお、原色画像生成部２１は、１つのカラー画像の画像データから３つの原色画像の画像データ全てを生成する必要はなく、１つ又は２つの原色画像の画像データのみを生成するようにしてもよい。
【００７４】
また、撮像装置９が生成する画像データの形式によっては、原色画像生成部２１は不要である。たとえば、撮像装置９が３ＣＣＤタイプのイメージセンサを含んでおり、３つのＣＣＤイメージセンサからＲ成分、Ｇ成分及びＢ成分の検出結果が制御部１１に入力される場合には、これら３つの検出結果をそのまま３つの原色画像の画像データとして用いることが可能である。いずれにしても、眼底撮影装置１は、眼底Ｅｆのカラー画像の画像データと、３つの原色画像の画像データとを生成可能に構成されていれば十分である。
【００７５】
（画像解析部）
画像解析部２２は、３つの原色画像の画像データのうちの少なくとも１つを解析する。解析対象となる画像データは、オペレータが手動で選択してもよいし、検査内容などに応じて画像解析部２２が自動的に選択してもよい。また、常に３つの画像データ全てを解析し、解析結果を表示する段階で選択を行うようにしてもよい。画像解析部２２は、この発明の「解析手段」の一例である。以下、画像解析部２２による解析処理の一例を説明する。
【００７６】
画像解析部２２は、原色画像の画像データの画素値に基づいて、この原色画像に描写された眼底Ｅｆの病変部位を特定する。この処理は、たとえば、画像データに含まれる画素値に対して閾値処理や境界検出処理を施すことにより実現できる。一例として、画像データを構成する画素の画素値の変化を追跡し、隣接する画素の画素値の変化が所定値以上となる隣接画素を特定することにより、病変部位に相当する画像領域とそれ以外の画像領域との境界を検出できる。この処理は、たとえば眼底Ｅｆの白斑のように、色や濃度の違いとして描写される病変部位の特定に有効である。なお、原色画像（又はカラー画像）の表示画像中に病変部位の大まかな領域を手作業で指定可能とし、画像解析部２２は当該指定領域内のみを解析するように構成してもよい。
【００７７】
他の解析処理として、原色画像に描写された眼底Ｅｆの特徴部位を特定する処理がある。特徴部位としては、視神経乳頭、黄斑部、眼底血管などがある。眼底Ｅｆの特徴部位を特定する処理は、たとえば従来と同様の手法で行うことが可能である。画像解析部２２による解析処理は、原色画像の画像データから直接に得られる任意の情報を取得する処理であってもよいし、この任意の情報を加工して新たな情報を取得する処理であってもよい。後者としては、たとえば、特徴部位の面積を求める処理や、２つの特徴部位の間の距離を算出する処理などがある。
【００７８】
［動作］
眼底撮影装置１の動作について説明する。図４に示すフローチャートは、眼底撮影装置１の動作の一例を表している。
【００７９】
この動作例では、眼底Ｅｆを３回撮影する。これら３回の撮影は撮影光量を変えながら行われる。このとき、被検眼Ｅの縮瞳を考慮して、第１回目の撮影は少量の光量（小光量）で、第２回目の撮影は中間の光量（中間光量）で、第３回目の撮影は多量の光量（大光量）で行うことが望ましい。なお、３回の撮影は、続けて行ってもよいし、適宜に時間間隔を空けて行ってもよい。
【００８０】
ここで、中間光量は、通常のカラー眼底撮影の光量とされる。中間光量で撮影を行うと、それぞれ適正な濃度のカラー画像とＧ成分の原色画像が得られる。また、小光量は、Ｒ成分の原色画像の濃度が適正になるように設定される。同様に、大光量は、Ｂ成分の原色画像の濃度が適正になるように設定される。
【００８１】
これら光量は、たとえば、事前に得られた臨床データに基づいて設定することもできるし、観察照明光を用いて得られる眼底の観察像に基づいて被検眼毎に設定することもできる。また、当該被検眼の撮影が過去に実施された場合には、そのときの撮影光量を適用できる。この場合、眼底撮影時に適用された撮影光量の値を患者ＩＤ等に関連付けて記憶部１４等に記憶しておく。また、光量を設定する際には、撮影照明光の色バランスや、３つの原色成分の眼底での反射率などを考慮してもよい。
【００８２】
まず、眼底Ｅｆを小光量で撮影する（Ｓ１）。そのために、光量制御部１２は、撮影光源１０３による撮影光量を小光量に設定する。制御部１１は、撮影光源１０３を制御して小光量の撮影照明光を発光させる。撮像装置９は、この撮影照明光の眼底反射光を受光して、眼底Ｅｆのカラー画像の画像データを生成する。
【００８３】
制御部１１は、このカラー画像の画像データを受けてデータ処理部２０に送る。原色画像生成部２１は、このカラー画像の画像データに基づいて、Ｒ成分の画像データを生成する（Ｓ２）。このＲ成分の画像データは、制御部１１により記憶部１４に記憶される。
【００８４】
次に、眼底Ｅｆを中間光量で撮影する（Ｓ３）。そのために、光量制御部１２は、撮影光源１０３による撮影光量を中間光量に設定する。制御部１１は、撮影光源１０３を制御して中間光量の撮影照明光を発光させる。撮像装置９は、この撮影照明光の眼底反射光を受光して、眼底Ｅｆのカラー画像の画像データを生成する。
【００８５】
制御部１１は、このカラー画像の画像データを受けてデータ処理部２０に送る。原色画像生成部２１は、このカラー画像の画像データに基づいて、Ｇ成分の画像データを生成する（Ｓ４）。このＧ成分の画像データは、制御部１１により、中間光量のカラー画像の画像データとともに記憶部１４に記憶される。
【００８６】
次に、眼底Ｅｆを大光量で撮影する（Ｓ５）。そのために、光量制御部１２は、撮影光源１０３による撮影光量を大光量に設定する。制御部１１は、撮影光源１０３を制御して大光量の撮影照明光を発光させる。撮像装置９は、この撮影照明光の眼底反射光を受光して、眼底Ｅｆのカラー画像の画像データを生成する。
【００８７】
制御部１１は、このカラー画像の画像データを受けてデータ処理部２０に送る。原色画像生成部２１は、このカラー画像の画像データに基づいて、Ｂ成分の画像データを生成する（Ｓ６）。このＢ成分の画像データは、制御部１１により記憶部１４に記憶される。
【００８８】
制御部１１は、Ｒ成分、Ｇ成分及びＢ成分の３つの原色成分の画像データを記憶部１４から読み出してデータ処理部２０に送る。画像解析部２２は、各原色成分の画像データを解析し、各原色画像に描写された病変部位を特定する（Ｓ７）。病変部位の特定結果は制御部１１に送られる。
【００８９】
制御部１１は、眼底Ｅｆのカラー画像の画像データを記憶部１４から読み出す。表示制御部１３は、特定された各原色成分の病変部位に対応するカラー画像中の領域を特定する（Ｓ８）。このとき、必要に応じ、Ｒ成分及びＢ成分の画像データとカラー画像の画像データとの位置合わせを行う。この処理は、たとえば、画像中の特徴部位（視神経乳頭、黄斑部、血管等）の位置を合わせ込むことにより行える。なお、Ｇ成分の画像データについては、カラー画像の画像データから生成されたものであるから、位置合わせを行う必要はない。
【００９０】
更に、表示制御部１３は、記憶部１４に記憶されたテーブル情報（前述）に基づいて、各原色成分の病変部位に相当する領域を表す画像（病変部位画像）の表示色を設定する（Ｓ９）。これら病変部位画像の表示色は、たとえば、Ｒ成分は赤色に、Ｇ成分は緑色に、Ｂ成分は青色にそれぞれ設定されている。
【００９１】
以上の処理が完了したら、表示制御部１３は、表示部１６を制御し、３つの原色成分の病変部位画像をカラー画像に重ねて表示させる（Ｓ１０）。この表示画像は、たとえば、カラー画像中に病変部位画像を埋め込んだ合成画像であってもよいし、カラー画像を呈示するレイヤに、各原色成分の病変部位画像を呈示するレイヤを重ねた画像であってもよい。
【００９２】
ステップ１０で表示される画像の一例を図５に示す。この表示態様では、眼底Ｅｆのカラー画像３０に病変部位画像４０Ｒ、４０Ｇ、４０Ｂが重ねて表示されている。ここで、病変部位画像４０ＲはＲ成分の病変部位を表し、病変部位画像４０ＧはＧ成分の病変部位を表し、病変部位画像４０ＢはＢ成分の病変部位を表している。
【００９３】
病変部位画像４０Ｒは、網膜の深い領域から脈絡膜付近に亘る深度の病変部位を表す赤色の画像である。病変部位画像４０Ｇは、網膜の深い領域に存在する病変部位を表す緑色の画像である。病変部位画像４０Ｂは、網膜の浅い領域に存在する病変部位を表す青色の画像である。
【００９４】
図５の画像領域４１には、３つの原色成分の病変部位画像４０Ｒ、４０Ｇ、４０Ｂが重なって表示されている。これは、網膜の浅い領域から脈絡膜付近まで広がっている病変の存在を示唆している。このような病変は、一般に、深度によってサイズ（断面積）が異なっている。画像領域４１に存在する病変は、Ｇ成分に対応する深度でのサイズが最も大きく、Ｒ成分に対応する深度でのサイズが最も小さくなっている。
【００９５】
画像領域４１のような病変を呈示する場合、表示制御部１３は、各原色成分に対応する深度における病変部位画像のサイズを算出し、更に、サイズが小さい病変部位画像をサイズが大きい病変部位画像に重ねて表示させる。画像領域４１においては、病変部位画像４０Ｇ上に病変部位画像４０Ｂが表示され、病変部位画像４０Ｂ上に病変部位画像４０Ｒが表示されている。このような表示態様を適用することにより、眼底Ｅｆの複数の深度における病変部位画像を一目で観察できる。
【００９６】
なお、上側に表示される病変部位画像に透明度を設定して下側の病変部位画像が透けて見えるようにするなどの表示態様を採用する場合、サイズに応じて病変部位画像を重ねる順番を決定する必要はない。
【００９７】
［作用・効果］
眼底撮影装置１の作用及び効果について説明する。
【００９８】
眼底撮影装置１は、照明光の眼底反射光を受光して、眼底Ｅｆのカラー画像の画像データと、Ｒ成分、Ｇ成分及びＢ成分の３つの原色成分の画像データとを生成する。更に、眼底撮影装置１は、３つの原色成分の画像データのうちの少なくとも１つを解析し、眼底Ｅｆのカラー画像と、原色成分の画像データの解析結果と、解析された画像データに対応する原色成分の種別を表す種別情報とを表示する。
【００９９】
このような眼底撮影装置１によれば、カラー画像及び解析結果とともに種別情報が表示されるので、眼底Ｅｆのどの深度の解析結果が呈示されているかを容易に把握することが可能である。
【０１００】
また、３つの原色成分のうちの２つ以上の解析結果をカラー画像とともに表示させることにより、眼底Ｅｆの様々な深度の状態をまとめて観察することが可能である。
【０１０１】
この実施形態に係る種別情報は、各原色成分に対して予め指定された解析結果の表示色である。この実施形態では、前述のテーブル情報において、Ｒ成分の解析結果の表示色は赤色に、Ｇ成分の解析結果の表示色は緑色に、Ｂ成分の解析結果の表示色は青色に設定されている。このような表示色は、原色成分と原色画像の深度との関係により、解析された原色成分の画像データに対応する眼底Ｅｆの深度を表すものと言える。
【０１０２】
解析結果の表示色は、上記設定に限定されるものではなく、任意に設定することが可能である。特に、上記設定以外の表示色を採用する場合には、どの表示色がどの原色成分（眼底Ｅｆの深度）に対応するかを表す情報を表示することが望ましい。その一例として、表示色と原色成分の色とを対応付ける情報や、表示色と眼底Ｅｆの深度とを対応付ける情報などを表示することができる。
【０１０３】
また、この実施形態では、原色成分の画像データを解析して、その原色画像に描写された病変部位を特定する。そして、その解析結果として、特定された病変部位に相当する領域を表す病変部位画像を、眼底Ｅｆのカラー画像に重ねて表示させる。それにより、眼底Ｅｆの病変の深度やサイズや位置を容易に把握できる。
【０１０４】
また、この実施形態では、互いに異なる３つの光量の撮影照明光を眼底Ｅｆに順次に照射し、大光量での撮影結果からＢ成分の画像データを生成し、中間光量での撮影結果からＧ成分の画像データを生成し、小光量の撮影結果からＲ成分の画像データを生成する。それにより、好適な濃度の原色画像を取得でき、解析処理の高確度化、高精度化を図ることができる。また、好適な原色画像を表示することが可能となる。なお、眼底Ｅｆのカラー画像は、従来のカラー眼底撮影と同様の中間光量で取得しているので、従来と同様の好適なカラー画像を取得できる。
【０１０５】
［変形例］
上記の実施形態に係る各種の変形例を説明する。
【０１０６】
上記実施形態では、解析結果や種別情報とともに眼底のカラー画像を表示しているが、カラー画像の代わりに原色画像を表示するようにしてもよい。ここで、或る原色画像を自動的に選択して表示させてもよいし、オペレータが所望の原色画像を選択して表示できるようにしてもよい。前者の例として、最も病変の多い原色成分の原色画像を自動的に選択して表示させることができる。なお、各原色成分の病変の量は、前述のように病変部位画像のサイズを算出することにより容易に求められる。また、後者の例としては、オペレータが任意の原色成分を選択する構成や、オペレータにより選択指定された病変部位画像に対応する原色画像を選択して表示する構成などがある。
【０１０７】
また、眼底のカラー画像及び３つの原色画像を任意に組み合わせて表示することも可能である。
【０１０８】
種別情報は、原色成分の画像データの解析結果の表示色に限定されるものではない。他の例として、３つの原色成分の解析結果をグラデーションや塗り潰し態様によって識別可能に表示することができる。また、解析された画像データに対応する原色成分、つまり眼底の深度を示す情報（文字列情報等）と解析結果とを線で結ぶことにより、各解析結果の深度を呈示することも可能である。このように、種別情報は、解析された画像データに対応する原色成分の種別、つまり解析された画像データに対応する眼底の深度を表す情報であれば、その態様は問わない。
【０１０９】
上記実施形態では、３つの原色成分に好適な撮影光量をそれぞれ設定することにより３回の撮影を行っているが、２回の撮影によって３つの原色成分の画像データ及びカラー画像の画像データを取得することが可能である。その場合においても、光量の異なる照明光を眼底に順次に照射し、多量の光量の照明光の眼底反射光を受光してＢ成分の画像データを生成することが望ましい。一方、Ｒ成分の画像データは、少量の光量の照明光の眼底反射光を受光して生成される。Ｇ成分の画像データについては、多量の光量の照明光の眼底反射光の受光結果から生成してもよいし、少量の光量の照明光の眼底反射光の受光結果から生成してもよい。
【０１１０】
また、１回の撮影によって３つの原色成分の画像データ及びカラー画像の画像データを取得することも可能である。その場合、眼底撮影装置は、眼底による３つの原色成分のそれぞれの反射率に対応する色バランスを有する照明光を眼底に照射する。この変形例に係る眼底撮影装置について説明する。なお、この変形例で説明する事項の詳細については、本発明者による特願２００８−６７９６号に記載されている。
【０１１１】
図６は、この変形例に係る眼底撮影装置の光学系の構成例を表す。この眼底撮影装置は、上記実施形態の眼底撮影装置１とほぼ同様の光学系を有する。ただし、この眼底撮影装置の照明光学系１００には、色補正フィルタ１０６が追加されている。また、撮影光源１０３は、この発明の「光源」の一例である。
【０１１２】
色補正フィルタ１０６は、３つの原色成分の眼底による反射率に対応する色バランスを有する撮影照明光を生成する。すなわち、撮影光源１０３から出力された撮影照明光は、色補正フィルタ１０６を透過することでスペクトル分布が変換され、眼底による各原色成分の反射率に対応する色バランスを有する光になる。ここで、色バランスとは、Ｒ成分、Ｇ成分、Ｂ成分の強度の比率を表す。
【０１１３】
色補正フィルタ１０６の具体例を説明する。一般に、Ｒ成分、Ｇ成分、Ｂ成分の各原色成分の眼底による反射率には個人差がある。たとえば、当該反射率は、人種によっても異なるし、メラニン色素の量によっても異なる。一般的なメラニン色素量の日本人においては、当該反射率の比は、大凡、Ｒ：Ｇ：Ｂ＝３：２：１程度であることが経験的に知られている。たとえば、通常のキセノンランプから出力される照明光を用いて眼底のカラー画像を取得すると、３つの原色画像の濃度の比は、大凡、Ｒ：Ｇ：Ｂ＝３：２：１程度になることが知られている。また、白人のようにメラニン色素量が少ない人については、一般的な日本人の場合よりも当該反射率の比が大きくなることが知られている（たとえば、Ｒ：Ｇ：Ｂ＝５：３：１程度）。
【０１１４】
色補正フィルタ１０６は、３つの原色成分の眼底による反射光量が略等しくなるような比率の色バランスの撮影照明光を生成するように形成される。たとえば、眼底による反射率の比をＲ：Ｇ：Ｂ＝３：２：１と仮定した場合、光の透過特性が当該反射率の比の逆比（すなわちＲ：Ｇ：Ｂ＝１／３：１／２：１＝２：３：６）となるような色補正フィルタ１０６を採用することができる。
【０１１５】
なお、上記「略等しく」の「略」は、完全に等しい場合に対する所定の偏差を許容することを意味する。たとえば、色補正フィルタ１０６の適用対象（たとえば日本人）に関する当該反射光量の母集団について、９０％の信頼区間に含まれていれば「略等しい」ものとみなすことができる。
【０１１６】
このように光の色バランスを変更する光学フィルタは、ライトバランスフィルタなどと呼ばれ、写真分野などにおいて従来から利用されている。図７は、色補正フィルタ１０６による光の透過特性の一例を表している。なお、このグラフにおいて、横軸は波長（ｎｍ）を表し、縦軸は透過率を表している。また、このグラフは、４００ｎｍ〜７５０ｎｍ付近の範囲における透過特性を表しているが、当該範囲以外の波長域についても特定の透過特性を有している。
【０１１７】
また、このグラフに示す透過特性は、Ｒ成分の透過率がＧ成分の透過率以下となり、かつ、Ｇ成分の透過率がＢ成分の透過率以下となるように設定されている。これは、当該透過特性を有する色補正フィルタ１０６が眼底撮影に用いられるからである。すなわち、眼底については、一般に、（Ｒ成分の反射率）≧（Ｇ成分の反射率）≧（Ｂ成分の反射率）であるから、３つの原色成分の眼底による反射光量が略等しくなるような比率の色バランスの撮影照明光を生成するためには、３つの原色成分の透過率を次のように設定する必要がある：（Ｒ成分の透過率）≦（Ｇ成分の透過率）≦（Ｂ成分の透過率）。
【０１１８】
色補正フィルタ１０６は、図示しない駆動機構により照明光学系１００の光路（照明光路）に対して挿脱される。この駆動機構は、たとえばソレノイドやモータ等のアクチュエータを含んで構成される。
【０１１９】
なお、３つの原色成分の眼底による反射率には個人差があるので、様々な反射率のタイプを考慮して複数の色補正フィルタ１０６を択一的に使用するように構成することが可能である。たとえば、一般的な日本人用の色補正フィルタ、色黒の人用の色補正フィルタ、色白の人用の色補正フィルタなどの複数の色補正フィルタをターレット板に設け、このターレット板をステッピングモータ等で回転させることにより所望の色補正フィルタを照明光路上に配置させて使用することが可能である。色補正フィルタの選択は、オペレータが手動で行うこともできるし、患者情報や過去の検査情報等に基づいて自動的に行うこともできる。
【０１２０】
このような変形例によれば、好適な３つの原色成分の画像データを１回の撮影で取得することが可能である。また、この撮影で得られたカラー画像をそのまま利用することも可能である。このように、１回の撮影で全ての画像データを取得することにより、上記実施形態で説明した位置合わせ処理を行わなくてよいという利点がある。また、検査時間の省略、更には被検者の負担軽減などの効果も期待できる。
【０１２１】
［眼底画像処理装置］
この発明に係る眼底画像処理装置の実施形態について説明する。この実施形態に係る眼底画像処理装置の構成例を図８に示す。
【０１２２】
眼底画像処理装置２００は、たとえば医師により使用されるコンピュータ装置により構成される。眼底画像処理装置２００は、一般的なコンピュータ装置と同様に、マイクロプロセッサ、ＲＡＭ、ＲＯＭ、ハードディスクドライブ、表示デバイス、操作デバイス、通信インターフェイス、ドライブ装置などを含んで構成される。
【０１２３】
眼底画像処理装置２００には、眼底撮影装置３００により取得された眼底のカラー画像の画像データが入力される。なお、カラー画像の代わりに、眼底の原色画像の画像データを入力するようにしてもよい（この場合、原色画像生成部２６１は不要である）。
【０１２４】
眼底画像処理装置２００は、制御部２１０、記憶部２２０、表示部２３０、操作部２４０、データ受付部２５０及びデータ処理部２６０を含んで構成される。制御部２１０は、上記の実施形態の制御部１１と同様である（光量制御部１２は不要である）。記憶部２２０は記憶部１４と同様である。表示部２３０は表示部１６と同様である。操作部２４０は操作部１７と同様である。データ処理部２６０はデータ処理部２０と同様である。更に、データ処理部２６０の原色画像生成部２６１及び画像解析部２６２は、それぞれ、原色画像生成部２１及び画像解析部２２と同様である。
【０１２５】
眼底画像処理装置２００には、上記の実施形態と異なり、データ受付部２５０（受付手段）が設けられている。データ受付部２５０は、眼底撮影装置３００により取得されたカラー画像（又は原色画像：以下同様）の画像データを受け付ける。
【０１２６】
眼底画像処理装置２００と眼底撮影装置３００がＬＡＮ等の通信回線で接続されている場合、データ受付部２５０はＬＡＮカード等の通信インターフェイスを含んで構成される。データ受付部２５０は、眼底撮影装置３００から（又は他の装置を経由しつつ）通信回線を介して送信された画像データを受信して制御部２１０に送る。
【０１２７】
また、データ受付部２５０がドライブ装置を含んでいる場合、データ受付部２５０は、記録メディアに記録された画像データを読み取って制御部２１０に送ることができる。
【０１２８】
なお、データ受付部２５０が受け付ける画像データは、上記の実施形態のように、たとえば１回〜３回の撮影を実施して得られた画像データである。眼底画像処理装置２００は、上記の実施形態と同様の処理、たとえば図４のフローチャートのステップ２、４、６、７〜１０の処理を実行する。
【０１２９】
このような眼底画像処理装置２００によれば、カラー画像（又は原色画像）及び解析結果とともに種別情報が表示されるので、眼底のどの深度の状態が呈示されているかを容易に把握することが可能である。
【０１３０】
また、３つの原色成分のうちの２つ以上の解析結果をカラー画像（又は原色画像）とともに表示させることにより、眼底の様々な深度の状態をまとめて観察することが可能である。
【０１３１】
上記の実施形態の眼底撮影装置１の説明及びその変形例の説明において開示した任意の構成や動作を、眼底画像処理装置２００に適用することが可能である。
【図面の簡単な説明】
【０１３２】
【図１】この発明に係る眼底撮影装置の実施の形態の構成の一例を表す概略ブロック図である。
【図２】この発明に係る眼底撮影装置の実施の形態の外観構成の一例を表す概略側面図である。
【図３】この発明に係る眼底撮影装置の実施の形態の光学系の構成の一例を表す概略側面図である。
【図４】この発明に係る眼底撮影装置の実施の形態の動作の一例を表すフローチャートである。
【図５】この発明に係る眼底撮影装置の実施の形態により表示される眼底の画像の一例を表す概略図である。
【図６】この発明に係る眼底撮影装置の実施の形態の変形例の光学系の構成の一例を表す概略側面図である。
【図７】この発明に係る眼底撮影装置の実施の形態の変形例の色補正フィルタの特性の一例を表すグラフである。
【図８】この発明に係る眼底画像処理装置の実施の形態の構成の一例を表す概略ブロック図である。
【符号の説明】
【０１３３】
１  眼底撮影装置
９、１０  撮像装置
１１  制御部
１２  光量制御部
１３  表示制御部
１４  記憶部
１５  ユーザインターフェイス
１６  表示部
１７  操作部
２０  データ処理部
２１  原色画像生成部
２２  画像解析部
３０  眼底のカラー画像
４０Ｒ、４０Ｇ、４０Ｂ  病変部位画像
１００  照明光学系
１０３  撮影光源
１０６  色補正フィルタ
１２０  撮影光学系
Ｅ  被検眼
Ｅｆ  眼底
【図１】
0005160958.tif 000002
【図２】
0005160958.tif 000003
【図３】
0005160958.tif 000004
【図４】
0005160958.tif 000005
【図６】
0005160958.tif 000006
【図８】
0005160958.tif 000007
【図５】
0005160958.tif 000008
【図７】
0005160958.tif 000009